(57)【要約】【課題】補強体の倒れを防止できる開閉装置を提供する。【解決手段】構造物に形成された開口２を開閉する開閉体３を備え、当該開閉体が、開口を閉鎖する閉鎖状態と開口を開放する開放状態とに設定され、閉鎖状態においては、開閉体が上下方向に延在して開口を閉鎖する状態に設定され、開放状態においては、開閉体が開口を隔てた一方の領域の天井に沿って延在して開口を開放する状態に設定される開閉装置であって、開閉体３が、開閉体の移動方向に沿って並ぶように設けられた複数のパネル（上パネル１０Ａ，下パネル１０Ｂ）を備えて、互いに隣り合うパネルがヒンジを介して連結されて構成され、開閉体を構成するパネルの一方の領域６側の面より突出するように設けられた補強体（上側補強体２０，下側補強体２１）と、パネルの一方の領域６側の面と補強体とを連結して補強体の倒れを防止する補強体倒れ防止手段６０とを備えた。【選択図】図１
2020066859.tif 000002
【特許請求の範囲】
【請求項１】
構造物に形成された開口を開閉する開閉体を備え、
当該開閉体が、開口を閉鎖する閉鎖状態と開口を開放する開放状態とに設定され、
閉鎖状態においては、開閉体が上下方向に延在して開口を閉鎖する状態に設定され、
開放状態においては、開閉体が開口を隔てた一方の領域の天井に沿って延在して開口を開放する状態に設定される開閉装置であって、
開閉体が、開閉体の移動方向に沿って並ぶように設けられた複数のパネルを備えて、互いに隣り合うパネルがヒンジを介して連結されて構成され、
開閉体を構成するパネルの一方の領域側の面より突出するように設けられた補強体と、
パネルの一方の領域側の面と補強体とを連結して補強体の倒れを防止する補強体倒れ防止手段とを備えたことを特徴とする開閉装置。
【請求項２】
パネルは、開口の横幅方向に沿った長辺縁と開口の上下方向に沿った短辺縁とを備えた矩形状のパネル本体と、パネル本体の四方を囲む框と、框補強部材とを備えて構成され、
框補強部材は、パネル本体の一方の領域と面する面側において、框の上框と下框とを連結する補強部材であって、パネル本体の長辺縁に沿った方向において所定の間隔を隔てて複数個設けられ、
補強体は、パネルの一方の領域側の面より突出して、開口の横幅方向に対応するパネルの左右方向及び一方の領域側に延長するように設けられて、一方の領域側に延長する延長端側に係合部が設けられており、
補強体倒れ防止手段は、一端側に設けられた連結部が框補強部材に連結されるとともに、他端側に設けられた被係合部が補強体の係合部に係合された状態に連結されたことを特徴とする請求項１に記載の開閉装置。
【発明の詳細な説明】
【技術分野】
【０００１】
本発明は、オーバースライディングドア、あるいは、オーバーヘッドドア等と呼称される開閉装置の開閉体を構成するパネルの変形防止構造に関する。
【背景技術】
【０００２】
オーバースライディングドア、あるいは、オーバーヘッドドア等と呼称される開閉装置が知られている（特許文献１等参照）。
当該開閉装置は、構造物の開口を開閉する開閉体が、上下方向に延在して開口を閉鎖する閉鎖状態と、開口を隔てた一方の領域の天井側において当該天井に沿って延在して開口を開放する開放状態とに設定される。
上述した開閉体は、開閉体の移動方向に沿って並ぶように設けられた複数のパネルと、各パネルの一方の領域側の面より突出するように設けられた補強体と、各パネルの左右の側縁より外方に突出するように設けられたガイドローラとを備える。
開閉体の移動方向に沿って並ぶように設けられた複数のパネルは、互いに隣り合うパネルがヒンジを介して連結されている。
各パネルは、開口の左右方向（横幅方向）に沿って延長して開口の横幅寸法に対応した長辺と開口の上下方向（高さ方向）に沿って延長する短辺とを備えた左右方向に長い長尺な矩形状に形成されている。
補強体は、各パネルにおける一方の領域側の面より突出して、パネルの左右方向（パネルの長辺に沿った方向）及び一方の領域側に延長するように設けられている。
【先行技術文献】
【特許文献】
【０００３】
【特許文献１】特開２０１７−２１４７４５号公報
【発明の概要】
【発明が解決しようとする課題】
【０００４】
上述した開閉装置では、例えば、閉鎖状態の開閉体に、開口を隔てた一方の領域側から、又は、開口を隔てた他方の領域側から、風圧等の力が加わった場合、開閉体に引張荷重や圧縮荷重が掛かって補強体がパネルとの境界部分を回転中心として開口側に倒れてしまう。当該補強体が倒れる際には、補強体とパネルとの境界部分に力が集中することにより、パネルの形状が変形してしまうため、パネルの耐風圧強度が低下してしまうという課題があった。
【０００５】
本発明は、上記課題を解消すべく、補強体の倒れに起因するパネルの変形を防止できる開閉装置を提供するものである。
【課題を解決するための手段】
【０００６】
本発明に係る開閉装置は、構造物に形成された開口を開閉する開閉体を備え、当該開閉体が、開口を閉鎖する閉鎖状態と開口を開放する開放状態とに設定され、閉鎖状態においては、開閉体が上下方向に延在して開口を閉鎖する状態に設定され、開放状態においては、開閉体が開口を隔てた一方の領域の天井に沿って延在して開口を開放する状態に設定される開閉装置であって、開閉体が、開閉体の移動方向に沿って並ぶように設けられた複数のパネルを備えて、互いに隣り合うパネルがヒンジを介して連結されて構成され、開閉体を構成するパネルの一方の領域側の面より突出するように設けられた補強体と、パネルの一方の領域側の面と補強体とを連結して補強体の倒れを防止する補強体倒れ防止手段とを備えたことを特徴とする。
また、パネルは、開口の横幅方向に沿った長辺縁と開口の上下方向に沿った短辺縁とを備えた矩形状のパネル本体と、パネル本体の四方を囲む框と、框補強部材とを備えて構成され、框補強部材は、パネル本体の一方の領域と面する面側において、框の上框と下框とを連結する補強部材であって、パネル本体の長辺縁に沿った方向において所定の間隔を隔てて複数個設けられ、補強体は、パネルの一方の領域側の面より突出して、開口の横幅方向に対応するパネルの左右方向及び一方の領域側に延長するように設けられて、一方の領域側に延長する延長端側に係合部が設けられており、補強体倒れ防止手段は、一端側に設けられた連結部が框補強部材に連結されるとともに、他端側に設けられた被係合部が補強体の係合部に係合された状態に連結されたことを特徴とする。
本発明によれば、補強体倒れ防止手段を備えたので、補強体の倒れに起因するパネルの変形を防止できる開閉装置を提供できる。
【図面の簡単な説明】
【０００７】
【図１】開閉体を閉鎖状態とした際の開閉装置の全体構成斜視図。
【図２】開閉体を開放状態とした際の開閉装置の全体構成斜視図。
【図３】閉鎖状態の開閉体を一方の領域側から見た正面図。
【図４】閉鎖状態の開閉体の側面図。
【図５】閉鎖状態の開閉体の最上端側に位置される上パネルを示す縦断面図。
【図６】閉鎖状態の開閉体の中央側に位置される中間パネルを示す縦断面図。
【図７】閉鎖状態の開閉体の最下端側に位置される下パネルを示す縦断面図。
【図８】補強体倒れ防止手段を示す斜視図であり、（ａ）は補強体倒れ防止手段の外表面側を見た図、（ｂ）は補強体倒れ防止手段の内表面側を見た図。
【図９】補強体倒れ防止手段がパネルの一方の領域側の面と補強体とを連結するように設けられた状態を示す斜視図。
【発明を実施するための形態】
【０００８】
図１，図２に示すように、実施形態に係る開閉装置１は、構造物に形成された開口２を開閉する開閉体３と、開閉体３の移動をガイドするガイド手段４と、開閉体３の開閉機構５とを備え、開口２を開閉する開閉体３が開口２を開放した場合に、開閉体３が、開口２を隔てた一方の領域６の天井側に当該天井に沿って位置された（収納された）状態となる、所謂、オーバースライディングドア、あるいは、オーバーヘッドドア等と呼称される開閉装置である。
【０００９】
開口２は、例えば住宅やビル、倉庫、工場等の構造物の内外を仕切る外壁や、構造物の内部において内部空間を仕切る内壁等の躯体７に開設されて、内外を連通する空間として上下左右方向に延長するように設けられた例えば矩形状の開口（図１，図２において、一点鎖線で示した矩形の開口２）である。
また、開口２を隔てた一方の領域６とは、構造物の屋内、又は、構造物の室内であり、例えば、住宅やビルの駐車場内、工場内、倉庫内等の領域である。
また、開口２を隔てた他方の領域は、構造物の屋外、又は、構造物の室外であり、例えば、住宅やビルの駐車場の外側、工場の外側、倉庫の外側等の領域である。
【００１０】
開閉体３は、上下方向に延在して開口２を閉鎖する閉鎖状態と、一方の領域６における開口２の近傍の天井に沿って延在して開口２を開放する開放状態とに設定される。
即ち、図１に示すように、閉鎖状態においては、上下方向に延在する開閉体３の一端（上端）３ｔが開口２の上方側に位置されるとともに、開閉体３の他端（下端）３ｕが床面、地面等の開口下端に接触した状態となって、開閉体３が開口２を閉鎖する状態に設定される。
また、図２に示すように、開放状態においては、開口２を隔てた一方の領域６の天井側において、開閉体３の一端３ｔが開口２より離れた天井側に位置されるとともに、開閉体３の他端３ｕが開口２の上方側に位置されることによって、開閉体３が、開口２の上方側から当該開口２より離れる方向に一方の領域６の天井に沿って延在して、開口２を開放する状態に設定される。
【００１１】
尚、開閉体３は、開放状態においては、一方の領域６の天井側において、図２に示すように、他端３ｕから一端３ｔにかけて水平に延在した状態となるタイプ、あるいは、他端３ｕから一端３ｔにかけて上向きに傾斜して延在した状態となるタイプ等がある。
【００１２】
図１，図３に示すように、開閉体３は、開閉体３の移動方向（開閉方向）Ｓに沿って並ぶように設けられた複数のパネルにより形成されたパネル構成体１０と、各パネルにおける一方の領域６側の面より突出して、パネルの左右方向（パネルの長辺縁に沿った方向（開口２の横幅方向））Ｗ及び一方の領域６に延長するように設けられた補強体と、パネルの一方の領域６側の面と補強体とを連結して補強体の倒れを防止する補強体倒れ防止手段６０と、各パネルの左右の側縁より外方に突出するように設けられたガイドローラ３０とを備える。
【００１３】
図３，図４に示すように、開閉体３の開閉面を形成するパネル構成体１０は、例えば、閉鎖状態の開閉体３の最上端側に位置される上パネル１０Ａと、閉鎖状態の開閉体３の最下端側に位置される下パネル１０Ｂと、上パネル１０Ａと下パネル１０Ｂとの間に設けられた複数の中間パネル１０Ｃ，１０Ｃ…とで構成される。
【００１４】
図３に示すように、各パネル１０Ａ，１０Ｂ，１０Ｃは、それぞれ、パネル本体１１と、パネル本体１１の四方を囲む框１２と、框補強部材１３とを備えて構成される。
【００１５】
パネル本体１１は、開口２の左右方向（横幅方向）に沿って延長して開口２の横幅寸法に対応した長辺と開口２の上下方向（高さ方向）に沿って延長する短辺とを備えた左右方向に長い長尺な矩形状に形成される。
尚、図５乃至図７に示すように、パネル本体１１は、断面形状が、例えば、上下方向に沿って連続する凹凸形状に形成される。即ち、パネル本体１１は、一方の領域６側に突出して左右方向に延長する平面１１ａと、他方の領域側に突出して左右方向に延長する平面１１ｂとを備えた凹凸パネルにより構成される。
このように、パネル本体１１を、強度の高い凹凸パネルにより構成したことによって、各パネル１０Ａ，１０Ｂ，１０Ｃの耐風圧効果を向上させることができる。
【００１６】
図３に示すように、框１２は、パネル本体１１の一端縁となる上側の長辺縁に沿って設けられた上框１５と、パネル本体１１の他端縁となる下側の長辺縁に沿って設けられた下框１６と、パネル本体１１の左右の短辺縁に沿ってそれぞれ設けられた左右の縦框１７，１８とで構成されて、左右方向に長い長尺な矩形状のパネル本体１１の四方を囲む枠体である。
従って、各パネル１０Ａ，１０Ｂ，１０Ｃは、開口２の左右方向（横幅方向）Ｗに沿って延長して開口２の横幅寸法に対応した長辺と開口２の上下方向（高さ方向）に沿って延長する短辺とを備えた左右方向に長い長尺な矩形状に形成される。
【００１７】
框補強部材１３は、パネル本体１１の一方の領域６と面する面側において、上框１５と下框１６とを連結した補強桟のような補強部材であり、パネル本体１１の長手方向、即ち、開口２の左右方向（横幅方向）Ｗに沿って所定の間隔を隔てて、複数個設けられている。
図５乃至図７に示すように、框補強部材１３は、一方の領域６側に位置して上端側が上框１５に連結されて下端側が下框１６に連結される主板部１３ｘと、当該主板部１３ｘの一方の側縁から他方の領域側に延長する補強板部１３ａと、補強板部１３ａの延長端より延長してパネル本体１１の平面１１ａと対向して当該平面１１ａに連結される連結板部１３ｂとを備える。
即ち、複数の框補強部材１３の主板部１３ｘの上端側が上パネル１０Ａの上框１５における一方の領域６側に位置する面１５ａに図外のリベット等の固定手段によって固定され、複数の框補強部材１３の主板部１３ｘの下端側が上パネル１０Ａの下框１６における一方の領域６側に位置する面１６ａに図外のリベット等の固定手段によって固定され、さらに、複数の框補強部材１３の連結板部１３ｂがパネル本体１１の一方の領域６側の平面１１ａに図外のリベット等の固定手段によって固定されている。
【００１８】
図５乃至図７に示すように、上框１５は、框補強部材１３の主板部１３ｘの上端側が連結される一方の領域６側の面１５ａと、他方の領域側に設けられてパネル本体１１の上端縁側１１ｔを挟持する挟持部１５ｂと、面１５ａの上端と挟持部１５ｂの上端とを繋ぐ上面１５ｃとを備え、左端部が左の縦框１７と連結され、右端部が右の縦框１８と連結されている。
挟持部１５ｂは、上面１５ｃの他方の領域側に位置する長辺縁から下方に分岐する２つの挟持片により構成される。
図５に示すように、上パネル１０Ａの上框１５の上面１５ｃは、他方の領域側が上方に位置される上側平面に形成され、一方の領域６側が下方に位置される下側平面に形成され、上側平面の一方の領域６側の長辺縁と下側平面の他方の領域側の長辺縁とが傾斜面で繋がれて形成された凹凸係合面に構成されている。
また、図６，図７に示すように、中間パネル１０Ｃ及び下パネル１０Ｂの上框１５の上面１５ｃは、他方の領域側が下方に位置される下側平面に形成され、一方の領域６側が上方に位置される上側平面に形成され、下側平面の一方の領域６側の長辺縁と上側平面の他方の領域側の長辺縁とが傾斜面で繋がれて形成された凹凸係合面に構成されている。
【００１９】
図５乃至図７に示すように、下框１６は、框補強部材１３の主板部１３ｘの下端側が連結される一方の領域６側の面１６ａと、他方の領域側に設けられてパネル本体１１の下端縁側１１ｕを挟持する挟持部１６ｂと、面１６ａの下端と挟持部１６ｂの下端とを繋ぐ下面１６ｃとを備え、左端部が左の縦框１７と連結され、右端部が右の縦框１８と連結されている。
挟持部１６ｂは、下面１６ｃの他方の領域側に位置する長辺縁から上方に分岐する２つの挟持片により構成される。
図５，図６に示すように、上パネル１０Ａ及び中間パネル１０Ｃの下框１６の下面１６ｃは、他方の領域側が下方に位置される下側平面に形成され、一方の領域６側が上方に位置される上側平面に形成され、下側平面の一方の領域６側の長辺縁と上側平面の他方の領域側の長辺縁とが傾斜面で繋がれて形成された凹凸係合面に構成されている。
【００２０】
また、図７に示すように、下パネル１０Ｂの下框１６の下面１６ｃは、面１６ａの下端と挟持部１６ｂの下端とを繋ぐ平面に形成され、当該平面に形成された下面１６ｃに水切りシール２５が設けられている。
即ち、開閉体３の他端３ｕとなる下パネル１０Ｂの下端は、下框１６の下面１６ｃに設けられた中空ゴム等による水切りシール２５により構成され、開閉体３が閉鎖状態となった場合に、当該水切りシール２５が床面、地面等の開口下端に密着した状態となって、開閉体３の他端３ｕと開口下端との水密性能、及び、気密性能が維持される。
【００２１】
上パネル１０Ａは、一方の領域６側の面において、開閉体３の移動方向Ｓに沿った一端縁側（上端縁側）及び開閉体３の移動方向Ｓに沿った他端縁側（下端縁側）に、補強体を備えている。
例えば、図３乃至図５に示すように、上パネル１０Ａは、上パネル１０Ａの上框１５における一方の領域６側に位置する面１５ａより上パネル１０Ａの左右方向Ｗ及び一方の領域６側に延長するように設けられて、一方の領域６側に延長する延長端側に、補強体倒れ防止手段６０の被係合部が係合する係合部が設けられた上側補強体２０と、上パネル１０Ａの下框１６における一方の領域６側に位置する面１６ａより上パネル１０Ａの左右方向Ｗ及び一方の領域６側に延長するように設けられて、一方の領域６側に延長する延長端側に、補強体倒れ防止手段６０の被係合部が係合する係合部が設けられた下側補強体２１とを備える。
【００２２】
上側補強体２０は、上框１５の面１５ａより当該面１５ａと直交して一方の領域６に延長するとともに上パネル１０Ａの左右方向Ｗに延長する板面を備えた中空板部２０ａと、中空板部２０ａの一方の領域６側の先端縁より延長して当該中空板部２０ａの板面と直交する板面を備えた中実板部２０ｂとを備えている。そして、中空板部２０ａの延長端側と中実板部２０ｂとにより被係合部が構成される。
【００２３】
中間パネル１０Ｃは、開閉体３の移動方向Ｓに沿った他端縁側（下端縁側）に、補強体を備えている。
例えば、図３，図４，図６に示すように、中間パネル１０Ｃは、中間パネル１０Ｃのパネル本体１１を囲む框１２における下框１６における一方の領域６側に位置する面１６ａより中間パネル１０Ｃの左右方向Ｗ及び一方の領域６側に延長するように設けられて、一方の領域に延長する延長端側に、補強体倒れ防止手段６０の被係合部が係合する係合部が設けられた下側補強体２１を備える。
【００２４】
上パネル１０Ａ及び中間パネル１０Ｃの下側補強体２１は、下框１６の面１６ａより当該面１６ａと直交して一方の領域６に延長するとともにパネル本体１１の左右方向Ｗに延長する板面を備えた中空板部２１ａと、中空板部２１ａの一方の領域６側の先端縁より延長して当該中空板部２１ａの板面と直交する板面を備えた中実板部２１ｂとを備えている。そして、中空板部２１ａの延長端側と中実板部２１ｂとにより被係合部が構成される。
【００２５】
上パネル１０Ａ及び中間パネル１０Ｃの下側補強体２１の中空板部２１ａには、後述するヒンジ３１の取付板を当該中空板部２１ａに連結するためのねじ２８ａのねじ頭を収容するねじ頭収容溝２８が形成されている。このねじ頭収容溝２８は、中空板部２１ａの下面において、下面の左端と右端とに亘って連続するように形成されており、当該下面の左端又は右端からねじ頭収容溝２８にねじ２８ａのねじ頭を挿入して当該ねじ２８ａをヒンジ３１の取付位置まで移動させ、図４に示すように、ヒンジ３１の取付板に形成されたねじ貫通孔にねじ２８ａの軸部を貫通させてナット２８ｂを締結することにより、ヒンジ３１の取付板を中空板部２１ａの下面に取付けることができる。
【００２６】
下パネル１０Ｂは、開閉体３の移動方向Ｓに沿った他端縁側（下端縁側）及び開閉体３の移動方向Ｓに沿った一端と他端との間の中央側に、補強体を備えている。
即ち、図３，図４，図７に示すように、下パネル１０Ｂは、下パネル１０Ｂのパネル本体１１を囲む框１２の下框１６における一方の領域６側に位置する面１６ａより下パネル１０Ｂの左右方向Ｗ及び一方の領域６に延長するように設けられた下側補強体２２と、各框補強部材１３の主板部１３ｘに取付けられて下パネル１０Ｂの左右方向Ｗ及び一方の領域６に延長するように設けられた中央側補強体２３とを備える。
【００２７】
下側補強体２２は、下框１６の面１６ａより当該面１６ａと直交して一方の領域６に延長するとともにパネル本体１１の左右方向に延長する板面を備えた板部２２ａと、当該板部２２ａの一方の領域６側の先端縁より延長して当該板部２２ａの板面と直交する板面を備えた板部２２ｂとを備えている。
【００２８】
中央側補強体２３は、框補強部材１３の主板部１３ｘの板面と直交する板面を有した中空板部２３ａと、中空板部２３ａを框補強部材１３の主板部１３ｘの板面に連結するための連結板部２３ｂとを備える。
【００２９】
下パネル１０Ｂの下側補強体２２及び中央側補強体２３は、例えば、開閉体３を開閉する操作者の脚にぶつかり難いように、一方の領域６方向への突出長さが、上側補強体２０及び下側補強体２１の一方の領域６方向への突出長さよりも短く形成されている。
【００３０】
補強体倒れ防止手段６０は、一端側に設けられた連結部が框補強部材１３に連結されるとともに、他端側に設けられた被係合部が補強体の係合部に係合した状態に連結されることによって、補強体とパネルの一方の領域６側の面とを連結して補強体の倒れを防止するように構成されている。
【００３１】
図５，図６，図８，図９に示すように、補強体倒れ防止手段６０は、上側補強体２０の中実板部２０ｂの一方の領域６側の面（以下、外面という）２０ｃ、又は、下側補強体２１の中実板部２１ｂの一方の領域６側の面（以下、外面という）２１ｃと接触する接触面６１ａを有した押さえ板６１と、押さえ板６１の一端縁６２より延長して、上側補強体２０の中実板部２０ｂの延長端の端面２０ｄ、又は、下側補強体２１の中実板部２１ｂの延長端の端面２１ｄと接触する接触面６３ａを有した引掛板６３と、押さえ板６１の他端縁６４より引掛板６３の延長方向と同方向でかつ引掛板６３から離れる方向に傾斜して延長する傾斜板６５と、当該傾斜板６５の一方の側縁６６より引掛板６３に近付く方向及び押さえ板６１から離れる方向に延長して傾斜板６５の板面と直交する板面を有した一方縁側補強板６７と、傾斜板６５の他方の側縁における押さえ板６１に近い側縁部分６８より引掛板６３に近付く方向に延長して傾斜板６５の板面と直交する板面を有した他方縁側補強板６９とを備えている。
【００３２】
一方縁側補強板６７において、傾斜板６５の延長端縁６５ｔよりも押さえ板６１から離れる方向に延長する部分が連結部としての連結板７０として機能し、当該連結板７０には、ボルト７５を貫通させるためのボルト貫通孔７１が１つ以上形成されている。
【００３３】
連結板７０は、押さえ板６１の延長方向と同方向に長い矩形板状に形成され、ボルト貫通孔７１は、例えば、連結板７０の長手方向に沿って所定の間隔を隔てて例えば２つ設けられている。
【００３４】
一方縁側補強板６７及び他方縁側補強板６９の引掛板６３に近付く方向への延長端の端面は、上側補強体２０の中空板部２０ａの一方板面（パネルの中心１０Ｚ（パネルの短辺に沿った長さの中心）に近い側の板面）２０ｅ、又は、下側補強体２１の中空板部２１ａの一方板面（パネルの中心１０Ｚに近い側の板面）２１ｅと接触する接触面７２に形成される。
【００３５】
補強体倒れ防止手段６０は、引掛板６３の接触面６３ａと、上側補強体２０の中実板部２０ｂの延長端の端面２０ｄ、又は、下側補強体２１の中実板部２１ｂの延長端の端面２１ｄとを接触させることで、当該引掛板６３を、当該端面２０ｄ、又は、端面２１ｄに引っ掛けるとともに、押さえ板６１の接触面６１ａと、上側補強体２０の中実板部２０ｂの外面２０ｃ、又は、下側補強体２１の中実板部２１ｂの外面２１ｃとを接触させ、かつ、一方縁側補強板６７及び他方縁側補強板６９の接触面７２；７２と、上側補強体２０の中空板部２０ａの一方板面２０ｅ、又は，下側補強体２１の中空板部２１ａの一方板面２１ｅとを接触させることにより、これら引掛板６３と押さえ板６１と一方縁側補強板６７及び他方縁側補強板６９とで構成された被係合部が、上側補強体２０の一方の領域６側に延長する延長端側の係合部、又は、下側補強体２１の一方の領域６側に延長する延長端側の係合部を、三方から囲んで挟持した状態に設定された後、連結板７０が、ボルト７５及びナット７６等の固定手段によって框補強部材１３の補強板部１３ａ（パネルの一方の領域６側の面）に取付けられる。
【００３６】
即ち、補強体倒れ防止手段６０は、一端側に設けられた連結部としての連結板７０と、他端側に設けられた連結部としての被係合部とを備え、上側補強体２０の一方の領域６側に延長する延長端側の係合部、又は、下側補強体２１の一方の領域６側に延長する延長端側の係合部を、三方から囲んで挟持する被係合部が、引掛板６３と押さえ板６１と一方縁側補強板６７及び他方縁側補強板６９とにより構成されている。
【００３７】
以上のように補強体倒れ防止手段６０が設けられたことにより、補強体倒れ防止手段６０は、以下のように、上側補強体２０の倒れ、又は、下側補強体２１の倒れを防止する。
即ち、例えば閉鎖状態の開閉体３に、開口２を隔てた他方の領域側から風圧が加わった場合、図５において、上側補強体２０が上框１５との境界を回転中心として上パネル１０Ａの中心１０Ｚから離れる方向に、及び、下側補強体２１が下框１６との境界を回転中心として上パネル１０Ａの中心１０Ｚから離れる方向に倒れようとするが、この際、補強体が倒れようとする力が引掛板６３の接触面６３ａで受け止められて、補強体が倒れようとする力に対して補強体倒れ防止手段６０が抵抗するため、補強体の倒れを防止できる。
また、例えば閉鎖状態の開閉体３に、開口を隔てた一方の領域６側から風圧が加わった場合、図５において、上側補強体２０が上框１５との境界を回転中心として上パネル１０Ａの中心１０Ｚ側に向けて、及び、下側補強体２１が下框１６との境界を回転中心として上パネル１０Ａの中心１０Ｚ側に向けて倒れようとするが、この際、補強体が倒れようとする力が一方縁側補強板６７及び他方縁側補強板６９の接触面７２；７２で受け止められて、補強体が倒れようとする力に対して補強体倒れ防止手段６０が抵抗するため、補強体の倒れを防止できる。
【００３８】
即ち、補強体とパネルの一方の領域６側の面とが補強体倒れ防止手段６０で連結されたことにより、上側補強体２０が上框１５との境界を回転中心として開口２側に倒れてしまうことや、下側補強体２１が下框１６との境界を回転中心として開口２側に倒れてしまうことを防止でき、補強体の倒れに起因するパネルの変形を防止できるようになる。
【００３９】
尚、上側補強体２０とパネルとを連結する場合と下側補強体２１とパネルとを連結する場合とでは、同じ補強体倒れ防止手段６０を向きを変えて使用する。
即ち、上側補強体２０とパネルとを連結する場合においては、連結板７０において他方縁側補強板６９と対向する側の内面７０ｕを框補強部材１３の補強板部１３ａと接触させるとともに、傾斜板６５の延長端縁６５ｔと框補強部材１３の主板部１３ｘの板面とを対向させた状態としてから、連結板７０を補強板部１３ａに取付ける。
また、下側補強体２１とパネルとを連結する場合においては、連結板７０において内面７０ｕとは反対側の外面７０ｆを框補強部材１３の補強板部１３ａと接触させた状態としてから、連結板７０を補強板部１３ａに取付ける。
【００４０】
開閉体３の移動方向Ｓに沿って並ぶように設けられた複数のパネル１０Ａ，１０Ｂ，１０Ｃは、互いに隣り合うパネルがヒンジ３１，３２を介して連結されている。
図３に示すように、開閉体３の移動方向Ｓに沿って互いに隣り合うパネルは、左右方向の端部側がヒンジ３２，３２により連結され、さらに、左端部と右端部との間は、左右方向に沿って間隔を隔てた複数個所においてヒンジ３１，３１…により連結されていることにより、開閉体３の移動方向Ｓに沿って互いに隣り合う一方のパネルの一方の領域６側の面と他方のパネルの一方の領域６側の面とのなす角度が１８０度以下となることが可能なように構成されている。
【００４１】
即ち、開閉体３の移動方向に沿って並ぶように設けられたパネル構成体１０は、互いに隣り合う一方のパネルの長辺縁側と他方のパネルの長辺縁側とが連結手段としてのヒンジ３１，３２を介して連結され、互いに隣り合うパネルの板面が、同一平面上に位置される状態、及び、互いに交差する状態に設定可能に構成されている。
【００４２】
図３，図４に示す、閉鎖状態のパネル構造体１０で説明した場合、上下に隣り合うパネル同士は、具体的には、以下のように連結されている。
上のパネルの左端部側に位置される左の縦框１７における一方の領域６側の面の下端側と、下のパネルの左端部側に位置される左の縦框１７における一方の領域６側の面の上端側とが、ヒンジ３２によって連結されている。
上のパネルの右端部側に位置される右の縦框１８における一方の領域６側の面の下端側と、下のパネルの左端部側に位置される右の縦框１８における一方の領域６側の面の上端側とが、ヒンジ３２によって連結されている。
上のパネルに設けられた下側補強体２１の中空板部２１ａの下面と、下のパネルの一方の領域６側の面の左右方向に沿って所定の間隔を隔てて設けられた各框補強部材１３，１３…の上端側とが、パネルの左右方向に沿って所定の間隔を隔てて配置された複数のヒンジ３１，３１…によって連結されている。
【００４３】
また、図４に示すように、上パネル１０Ａの下框１６の下面１６ｃを形成する係合凹凸面と上パネル１０Ａの下隣りに位置された中間パネル１０Ｃの上框１５の上面１５ｃを形成する係合凹凸面とを互いに係合させた状態で、これら上パネル１０Ａと中間パネル１０Ｃとがヒンジ３１，３２により連結されている。
また、中間パネル１０Ｃの下框１６の下面１６ｃを形成する係合凹凸面と当該中間パネル１０Ｃの下隣りに位置された中間パネル１０Ｃの上框１５の上面１５ｃを形成する係合凹凸面とを互いに係合させた状態で、これら中間パネル１０Ｃと中間パネル１０Ｃとがヒンジ３１，３２により連結されている。
また、下パネル１０Ｂの上框１５の上面１５ｃを形成する係合凹凸面と当該下パネル１０Ｂの上隣りに位置された中間パネル１０Ｃの下框１６の下面１６ｃを形成する係合凹凸面とを互いに係合させた状態で、これら下パネル１０Ｂと中間パネル１０Ｃとがヒンジ３１，３２により連結されている。
【００４４】
ガイドローラ３０は、各パネル１０Ａ，１０Ｂ，１０Ｃの左右方向（長手方向）Ｗの両方の端部に設けられる。
ガイドローラ３０は、パネルの左右方向Ｗの端部に設けられた軸受部に回転可能に取付けられた回転軸部と、パネルの長手方向の端縁より外側に突出する回転軸部の先端側に設けられてガイド手段４の凹部内のガイド面を転動可能に構成されたローラ部とを備える。
従って、開閉体３は、各パネルに設けられたガイドローラ３０がガイド手段４によって移動方向Ｓにガイドされることで、開閉体３の移動方向Ｓに移動可能である。
【００４５】
ガイド手段４は、開口２の左右の側縁に沿ってそれぞれ設置される。
ガイド手段４は、断面コの字状に形成されるレールであって、開口２の側部に設置される垂直案内部４１と、一方の領域６の天井側において開口２の上端側から開口２から離れる方向に延長するように設けられた上側案内部４３と、垂直案内部４１の上端と上側案内部４３の開口側端とを連結する円弧状案内部４２とを備えて構成される。
開口の左右の縁側に設置された一対のガイド手段４，４間に、開閉体３が開放方向又は閉鎖方向に移動自在に設けられ、開閉体３が垂直案内部４１と上側案内部４３との間を移動することにより、開閉体３が開口２を開放又は閉鎖する。
【００４６】
図１に示すように、開閉機構５は、例えば、開口２の上方において開口２の幅方向に亘って配設される回転軸５１と、回転軸５１の両端部に固着される一対の巻取ドラム５２，５２と、一端が巻取ドラム５２に連結されて他端が開閉体３に連結され、回転軸５１が回転することによって巻取ドラム５２に巻き取られたり巻取ドラム５２から繰り出される、例えば金属製のワイヤー等の連結部材５３と、連結部材５３を巻取ドラム５２で巻き取る方向、即ち、開閉体３を開放する方向に、回転軸５１を付勢する付勢部材５４とを備える。
【００４７】
回転軸５１は、中空又は中実の軸体であって、一対のガイド手段４，４が離間する距離と略等しい長さを有し、開口２の上端よりも上方において開口２の幅方向に延長して配設される。回転軸５１は、躯体７に取付けられた複数の軸受けブラケット５６，５６…により回転可能に支持される。
【００４８】
巻取ドラム５２は、連結部材５３の巻き取りや繰り出しを可能とするボビン状（筒状）の部材であって、当該巻取ドラム５２の中心軸と回転軸５１の中心軸とが同心となるように回転軸５１の両端部に固定される。
巻取ドラム５２は、回転軸５１とともに回転することにより、連結部材５３を外周面上に巻き取ったり、連結部材５３が外周面上から繰り出す部材である。より詳細には、巻取ドラム５２は、開閉体３が開放動作する際に連結部材５３を巻取り、開閉体３が閉鎖動作する際に連結部材５３を繰出す。
【００４９】
連結部材５３は、一端が巻取ドラム５２の外周面に止着され、他端が開閉体３の下端部に止着される。なお、連結部材５３は、巻取ドラム５２に巻き取り可能な部材であればよく、例えば、金属製の鎖やチェーン、金属以外の材質の略紐状あるいは略帯状の部材等であっても良い。
【００５０】
付勢部材５４としては、例えば、ねじりばね（トーションスプリング）が使用される。回転軸５１を当該ねじりばねの中空筒部に通した後、ねじりばねの一端部が回転軸５１の外周面に止着され、ねじりばねの他端部が躯体７に止着されている。
当該ねじりばねは、連結部材５３を巻き取る方向に回転軸５１を付勢するように設けられている。
つまり、付勢部材５４は、操作者による開閉体３の開放動作をアシストする機能を有するとともに、開閉体３を全開した状態において、上側案内部４３上に位置する開閉体３を上側案内部４３上で留置く機能を有する。
【００５１】
操作者が、閉鎖状態の開閉体３を持ち上げて開口２を開放する開放動作を行うことにより、開閉体３の最上部に位置するパネルから一枚ずつ折れ曲がるように上側案内部４３に順次移動する。そして、開放動作が継続することにより、開閉体３が上側案内部４３に移動し、開口２が全開される。
一方、開口２を閉鎖する際には、操作者が、下パネルの取り付けられた図外の下げ紐等の操作部を下方に引張ることにより、開閉体３を垂直案内部４１に沿って引き下げる閉鎖動作を行う。開閉体３を閉鎖動作させると上側案内部４３上の複数のパネルのうち、開口２側に位置するパネルから垂直案内部４１に順次移動する。そして、閉鎖動作が継続することにより、開閉体３が垂直案内部４１に移動し、最下部に位置する下パネル１０Ｂの下端に設けられた水切りシール２５が床面、地面等の開口下端と接触することにより開口２が全閉される。
【００５２】
なお、上記では、開閉機構５として、操作者が開閉体３の開閉を手動で行うタイプの開閉機構を例示したが、図外のチェーンホイスト機構を介して回転軸５１を回転させる開閉機構や、図外のモーター等の駆動源により回転軸５１を回転させる開閉機構を備えた構成であってもよい。
【００５３】
実施形態によれば、上側補強体２０、及び、下側補強体２１の倒れを防止する補強体倒れ防止手段６０を備えたので、上側補強体２０や下側補強体２１の倒れに起因するパネルの変形を防止でき、パネルの耐風圧強度の低下を防止できる開閉装置１を提供できるようになる。
また、補強体倒れ防止手段６０は、上側補強体２０とパネルとを連結する場合と下側補強体２１とパネルとを連結する場合との両方に使用できるように構成したので、コスト削減を図ることができる。
【００５４】
また、開閉体３は、上パネル１０Ａが、一方の領域６側の面における上端縁側において、パネルの左右方向Ｗ及び一方の領域６に延長するように設けられた上側補強体２０を備えているので、開閉体３が閉鎖状態に設定された場合に、他方の領域側から開閉体３に加わる風の力が一番強くなる開閉体３の上端側の部分の強度が大きくなる。
即ち、閉鎖状態に設定された開閉体３の上端側の部分の耐風圧強度を大きくできる。
従って、他方の領域側からの風圧に対する耐風圧強度を向上させた開閉体３を備えた開閉装置１を提供できるようになる。
【００５５】
また、下パネル１０Ｂは、一方の領域６側の下端に沿って設けられた下側補強体２２と、一方の領域６側の上下間の中央側に設けられた中央側補強体２３とを備えているので、閉鎖状態に設定された開閉体３の下端側の部分の耐風圧強度を大きくできる。
また、当該下パネル１０Ｂは、中央側補強体２３を備えたので、開閉体３の閉鎖時に下パネル１０Ｂが地面に衝突した際にパネル本体の曲げ耐力が向上する。
【００５６】
また、閉鎖状態の開閉体３は、上下に隣り合うパネルとパネルとの間に下側補強体２１を備えた構成となるため、閉鎖状態に設定された開閉体３の全体の耐風圧強度を大きくできる。
【００５７】
また、上側補強体２０、下側補強体２１，２２、中央側補強体２３は、パネルにおける一方の領域６側の面より突出して、開口２の横幅方向に対応するパネルの左右方向及び一方の領域６に延長するように設けられたので、開口２を隔てた他方の領域側からの風圧に対する開閉体３の耐風圧強度をより向上させることができるようになる。
【００５８】
また、上パネル１０Ａの上側補強体２０及び下側補強体２１、中間パネル１０Ｃの下側補強体２１を、中空材料により形成したので、材料費を削減できるとともに、高強度の補強体を備えた開閉体３を提供できる。
【００５９】
尚、図５に示すように、上側補強体２０は、上框１５と一体に形成されたものであっても良いし、あるいは、上框１５と別体に形成された後に上框１５に連結される構成のものであってもよい。
また、図５，図６に示すように、下側補強体２１は、下框１６と一体に形成されたものであっても良いし、あるいは、下框１６と別体に形成された後に下框１６に連結される構成のものであってもよい。
【００６０】
実施形態では、図５に示すように、上パネル１０Ａの上框１５及び上側補強体２０が、上框１５と上側補強体２０とが一体に形成された上側一体成形品を使用して構成され、かつ、上パネル１０Ａの下框１６及び下側補強体２１が、下框１６と下側補強体２１とが一体に形成された下側一体成形品を使用して構成された例を示している。
この場合、図５に示すように、上側一体成形品及び下側一体成形品として同一のものを上下対称に配置して使用できるので、部品の製造コストを削減できるようになる。
また、実施形態では、図６に示すように、中間パネル１０Ｃの下框１６及び下側補強体２１が、下框１６と下側補強体２１とが一体に形成された下側一体成形品を使用して構成された例を示している。
【００６１】
尚、中間パネル１０Ｃは、パネルの一方の領域６側の面における下端縁側にのみ下側補強体２１を備えたものを例示したが、中間パネル１０Ｃは、下側補強体２１を備えるとともに、パネルの一方の領域６側の面における上下間の中央側に中央側補強体を備えた構成としてもよい。
【００６２】
また、上パネル１０Ａは、パネルの一方の領域６側の面において上述した上側補強体２０及び下側補強体２１の他に、パネルの一方の領域６側の面における上下間の中央側に中央側補強体を備えた構成としてもよい。
【００６３】
また、上側補強体２０及び下側補強体２１は、開口２の横幅方向に対応するパネルの左右方向に沿って、間欠的に設けられた構成であってもよい。
【００６４】
補強体倒れ防止手段は、上側補強体２０や下側補強体２１との連結部が、ねじ等の固定手段により連結される構成であってもよい。
【００６５】
また、補強体倒れ防止手段は、溶接や接着等の固定手段によって、パネルの一方の領域６側の面（例えば、框補強部材１３の補強板部１３ａ）と補強体とに連結された構成であってもよい。
【符号の説明】
【００６６】
１  開閉装置、２  開口、３  開閉体、６  一方の領域、
１０Ａ  上パネル（パネル）、１０Ｂ  下パネル（パネル）、
１１  パネル本体、１２  框、１３  框補強部材、
１５  上框、１６  下框、２０  上側補強体（補強体）、２１  下側補強体（補強体）、３１，３２  ヒンジ、６０  補強体倒れ防止手段、７０  連結板（連結部）、
Ｓ  開閉体の移動方向、Ｗ  パネルの左右方向（開口の横幅方向）。
【図１】
2020066859.tif 000003
【図２】
2020066859.tif 000004
【図３】
2020066859.tif 000005
【図４】
2020066859.tif 000006
【図５】
2020066859.tif 000007
【図６】
2020066859.tif 000008
【図７】
2020066859.tif 000009
【図８】
2020066859.tif 000010
【図９】
2020066859.tif 000011